(57)【要約】【課題】シート表皮とシートパッドの固定を簡単かつ迅速に、簡単な機構で行い、なおかつシート表皮をシートパッドから簡単に取り外すこともでき、何回も取り外したときに固定機能が劣化するのを抑制できる乗り物シートを実現する。【解決手段】乗り物シート１のシートパッド２０、２１の表面には、表面側に幅が狭い幅狭部４１とその奥側に幅が広い幅広部４２を有する溝部３０が設けられている。シート表皮２２、２３の裏面には、シートパッド２０、２１の溝部３０に対し抜き差し自在な抜き差し部材５０が設けられている。抜き差し部材５０は、先端に溝部３０の幅狭部４１より径が大きい大径部６０を有し、大径部６０が溝部３０の幅広部４２に差し込まれてシート表皮２２、２３をシートパッド２０、２１に固定し、大径部６０が溝部３０の幅広部４２から引き抜かれてシート表皮２２、２３をシートパッド２０、２１から取り外すように構成されている。【選択図】図２
2016141186.tif 000002
【特許請求の範囲】
【請求項１】
シートパッドと、当該シートパッドの表面の少なくとも一部に取り付けられるシート表皮とを有する乗り物シートであって、
前記シートパッドの表面には、表面側に幅が狭い幅狭部とその奥側に幅が広い幅広部を有する溝部が設けられ、
前記シート表皮の裏面には、前記シートパッドの溝部に対し抜き差し自在な抜き差し部材が設けられ、
前記抜き差し部材は、先端に前記溝部の幅狭部より径が大きい大径部を有し、当該大径部が前記溝部の幅広部に差し込まれて前記シート表皮を前記シートパッドに固定し、前記大径部が前記溝部の幅広部から引き抜かれて前記シート表皮を前記シートパッドから取り外すように構成されている、乗り物シート。
【請求項２】
前記抜き差し部材は、前記溝部の幅狭部から抜き差し自在に構成されている、請求項１に記載の乗り物シート。
【請求項３】
前記溝部は、前記シートパッドの表面に沿って細長に形成され、
前記大径部は、前記溝部の長手方向に沿った細長形状を有する、請求項２に記載の乗り物シート。
【請求項４】
前記溝部は、前記シートパッドの表面に沿った複数個所に並べて形成され、
前記大径部は、前記溝部に対応する位置に複数形成されている、請求項２又は３に記載の乗り物シート。
【請求項５】
前記溝部は、前記シートパッドの表面に沿って細長に形成され、当該長手方向の端部は開口し、
前記抜き差し部材は、前記溝部の端部の開口から抜き差し自在に構成されている、請求項１に記載の乗り物シート。
【請求項６】
前記大径部は、前記溝部の長手方向に沿った細長形状を有する、請求項５に記載の乗り物シート。
【請求項７】
前記シート表皮の裏面に設けられ、前記溝部の幅狭部から抜き差し自在な他の抜き差し部材を有する、請求項５又は６に記載の乗り物シート。
【請求項８】
前記抜き差し部材は、前記大径部と前記シート表皮の裏面とを接続する接続部を有する、請求項１〜７のいずれかに記載の乗り物シート。
【請求項９】
前記大径部は、前記シートパッドよりも変形しにくい材質により構成されている、請求項１〜８のいずれかに記載の乗り物シート。
【発明の詳細な説明】
【技術分野】
【０００１】
本発明は、乗り物シートに関する。
【背景技術】
【０００２】
車両などに搭載されている乗り物シートは、シートの座部や背凭れを形造るシートパッドと、当該シートパッドの表面を覆い、当該シートパッドに固定されるシート表皮を備えている。
【０００３】
シート表皮とシートパッドとの固定は、従来よりシートパッドの溝に金属製のインサートワイヤを埋設し、シート表皮側に取り付けられた吊り込みワイヤと、インサートワイヤとをクリップなどの表皮固定具により互いに固定することにより行われている（特許文献１参照）。
【先行技術文献】
【特許文献】
【０００４】
【特許文献１】特許第３１３４６９４号公報
【発明の概要】
【発明が解決しようとする課題】
【０００５】
しかしながら、上述の固定方法を用いた場合、シート表皮の吊り込みワイヤをシートパッドの溝に入れ、溝のインサートワイヤと吊り込みワイヤを表皮固定具で固定する必要があるため、シート表皮をシートパッドに固定するのに煩雑な作業が必要であり、時間がかかる。
【０００６】
また、シート表皮とシートパッドを固定するために、吊り込みワイヤ、インサートワイヤ、表皮固定具等が必要であり、構造が複雑である。
【０００７】
さらに、発明者らは、シート表皮を色や模様の異なるシート表皮に取り替える、いわゆる着せ替えを行うことを考えており、かかる場合、上述のシート表皮は、シートパッドから取り外すことを想定していないため、簡単に取り外すことができないし、仮に取り外すことができたとしても、ひどく時間を要する。また、シート表皮を何度も取り外すと、シートパッドのインサートワイヤが曲がったりして固定機能が劣化する恐れがある。
【０００８】
本出願はかかる点に鑑みてなされたものであり、シート表皮とシートパッドの固定を簡単かつ迅速に、簡単な機構で行い、なおかつシート表皮をシートパッドから簡単に取り外すこともでき、何回も取り外したときに固定機能が劣化するのを抑制できる乗り物シートを提供することをその目的とする。
【課題を解決するための手段】
【０００９】
上記目的を達成するための本発明は、シートパッドと、当該シートパッドの表面の少なくとも一部に取り付けられるシート表皮とを有する乗り物シートであって、前記シートパッドの表面には、表面側に幅が狭い幅狭部とその奥側に幅が広い幅広部を有する溝部が設けられ、前記シート表皮の裏面には、前記シートパッドの溝部に対し抜き差し自在な抜き差し部材が設けられ、前記抜き差し部材は、先端に前記溝部の幅狭部より径が大きい大径部を有し、当該大径部が前記溝部の幅広部に差し込まれて前記シート表皮を前記シートパッドに固定し、前記大径部が前記溝部の幅広部から引き抜かれて前記シート表皮を前記シートパッドから取り外すように構成されている、乗り物シートを含む。なお、「溝部」は、シートパッドの裏面に貫通していてもよいし、貫通してなくてもよい。
【００１０】
本発明によれば、シートパッドの溝部にシート表皮の抜き差し部材を抜き差しすることによって、シート表皮をシートパッドに固定及び取り外すことができるので、シート表皮とシートパッドの固定を簡単かつ迅速に、簡単な機構で行うことができる。また、シート表皮をシートパッドから簡単に取り外すこともでき、何回も取り外しても固定機能が劣化し難い乗り物シートを実現できる。
【００１１】
前記抜き差し部材は、前記溝部の幅狭部から抜き差し自在に構成されていてもよい。
【００１２】
前記溝部は、前記シートパッドの表面に沿って細長に形成され、前記大径部は、前記溝部の長手方向に沿った細長形状を有するものであってもよい。
【００１３】
前記溝部は、前記シートパッドの表面に沿った複数個所に並べて形成され、前記大径部は、前記溝部に対応する位置に複数形成されていてもよい。
【００１４】
前記溝部は、前記シートパッドの表面に沿って細長に形成され、当該長手方向の端部は開口し、前記抜き差し部材は、前記溝部の端部の開口から抜き差し自在に構成されていてもよい。
【００１５】
前記大径部は、前記溝部の長手方向に沿った細長形状を有するものであってもよい。
【００１６】
前記乗り物シートは、前記シート表皮の裏面に設けられ、前記溝部の幅狭部から抜き差し自在な他の抜き差し部材を有するものであってもよい。
【００１７】
前記抜き差し部材は、前記大径部と前記シート表皮の裏面とを接続する接続部を有するものであってもよい。
【００１８】
前記大径部は、前記シートパッドよりも変形しにくい材質により構成されていてもよい。
【発明の効果】
【００１９】
本発明によれば、シート表皮とシートパッドの固定を簡単かつ迅速に、簡単な機構で行い、なおかつシート表皮をシートパッドから簡単に取り外すこともでき、何回も取り外したときに固定機能が劣化するのを抑制できる乗り物シートを実現できる。よって、シート表皮の着せ替えを好適に行うことができる。
【図面の簡単な説明】
【００２０】
【図１】乗り物シートの斜視図である。
【図２】シートパッドからシート表皮を取り外した状態を示す説明図である。
【図３】シートパッドの溝部とシート表皮の抜き差し部材を示す断面図である。
【図４】抜き差し部材の他の形状を示す説明図である。
【図５】抜き差し部材の他の形状を示す説明図である。
【図６】抜き差し部材の大径部が複数ある場合の乗り物シートの構成の説明図である。
【図７】他の形状の大径部を有する乗り物シートの説明図である。
【図８】抜き差し部材の大径部の他の形状を示す説明図である。
【図９】抜き差し部材の大径部の他の形状を示す説明図である。
【図１０】抜き差し部材を溝部の開口から差し込む場合の乗り物シートの構成の説明図である。
【発明を実施するための形態】
【００２１】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００２２】
図１は、本実施の形態にかかる乗り物シート１の一例を示す斜視図である。乗り物シート１は、例えば座部１０と、背凭れ部１１とを備えている。座部１０及び背凭れ部１１は、それぞれを形造るシートパッド２０、２１と、シートパッド２０、２１の表面の一部にそれぞれ取り付けられるシート表皮２２、２３を有している。図２に示すようにシート表皮２２、２３は、シートパッド２０、２１に対し着脱自在になっている。なお、本実施の形態において、シートパッド２０、２１のシート表皮２２、２３以外の部分は、着脱自在でないシート表皮により被覆されている。
【００２３】
シートパッド２０、２１は、例えばクッション性のある発泡樹脂により形成され、乗り物シート１のシートフレーム（図示せず）に組み付けられている。
【００２４】
シートパッド２０には、例えば座部１０の表面に沿った溝部３０が形成されている。溝部３０は、座部１０の前端部から、背凭れ部１１側の後端部に向かう方向（図２のＸ方向）に沿った、平行の２本の溝部３０ａと、それらの２本の溝部３０ａの間に設けられ、２本の溝部３０ａをその直角方向に結ぶ溝部３０ｂを有している。
【００２５】
シートパッド２１にも、シートパッド２０と同様に、例えば背凭れ部１１の表面に沿った溝状の溝部３０が形成されている。溝部３０は、背凭れ部１１の座部１０側の下端部から、背凭れ部１１の上端部に向かう方向（図２のＹ方向）に沿った、平行の２本の溝部３０ａと、それらの２本の溝部３０ａの間に設けられ、２本の溝部３０ａをその直角方向に結ぶ溝部３０ｂを有している。
【００２６】
これらの溝部３０は、例えば図３に示すように溝状に凹んだ凹部４０と、凹部４０の奥側の幅が狭い幅狭部４１と、幅狭部４１の奥側の幅が広い幅広部４２を備えている。幅狭部４１の幅Ａは、幅広部４２の幅よりも狭く、０ｍｍ以上１０ｍｍ以下が好ましい。なお、溝部３０の幅広部４２は、図３に示したようにシートパッド２０、２１の下面に露出していてもよいし、露出せずに底を有するものであってもよい。
【００２７】
図２に示すようにシートパッド２０は、座部１０の表面形状に合致する略方形状に形成され、シートパッド２１は、背凭れ部１１の表面形状に合致する略方形状に形成されている。図２及び図３に示すようにシート表皮２２、２３の裏面には、溝部３０に対し抜き差し自在な抜き差し部材５０が設けられている。抜き差し部材５０は、シートパッド２０、２１の溝部３０の幅狭部４１よりも径が大きい大径部６０と、大径部６０とシート表皮２２、２３の裏面とを接続する接続部６１とを有している。
【００２８】
接続部６１は、溝部３０の長さに対応して長い帯状に形成され、上端部がシート表皮２２、２３の裏面に縫製また溶着されている。例えばシート表皮２２、２３の生地の切れ目を重ねて折ってその重なった部分に接続部６１を縫製または溶着してもよい。大径部６０は、例えば溝部３０の長さに対応して長い円筒状に形成されている。大径部６０は、接続部６１の下端部に接続されている。大径部６０の径Ｂは、少なくとも溝部３０の幅狭部４１の幅Ａよりも大きく、好ましくは３ｍｍ以上大きく形成されている。例えば幅狭部４１の幅Ａに対し大径部６０の径Ｂは、１．５倍以上が好ましく、２〜１０倍程度がさらに好ましい。これにより、大径部６０が一旦溝部３０の幅広部４２に入ると、大径部６０が幅狭部４１に引っ掛かる。抜き差し部材５０は、例えば樹脂製で一体成型され、シートパッド２０、２１よりも固い（変形しにくい）材質により構成されている。
【００２９】
シート表皮２２、２３をシートパッド２０、２１に取り付ける際には、シート表皮２２、２３の抜き差し部材５０をシートパッド２０、２１の溝部３０に差し込む。このとき、抜き差し部材５０の大径部６０を溝部３０の幅狭部４１を通じて幅広部４２に押し込む。シートパッド２０、２１は大径部６０よりも変形しやすいので、幅狭部４１は一時的に幅が広がり、大径部６０を通し、通り過ぎるとまた元の幅に戻る。大径部６０が幅広部４２に入ると、大径部６０が幅狭部４１に引っ掛かるので簡単に抜けなくなり、シート表皮２２、２３がシートパッド２０、２１に固定される。
【００３０】
シート表皮２２、２３をシートパッド２０、２１から取り外す際には、シート表皮２２、２３の抜き差し部材５０をシートパッド２０、２１の溝部３０から引き抜く。このとき、例えば抜き差し部材５０の大径部６０を溝部３０の幅狭部４１を通じて引き抜く。大径部６０を強く引っ張ることにより、幅狭部４１が変形し、一時的に幅が広くなって、大径部６０が引き抜かれる。こうして、シート表皮２２、２３がシートパッド２０、２１から取り外される。
【００３１】
本実施の形態によれば、シートパッド２０、２１の溝部３０にシート表皮２２、２３の抜き差し部材５０を抜き差しすることによって、シート表皮２２、２３をシートパッド２０、２１に固定及び取り外すことができる。これにより、シート表皮２２、２３とシートパッド２０、２１の固定を簡単かつ迅速に、簡単な機構で行うことができる。また、シート表皮２２、２３をシートパッド２０、２１から簡単に取り外すこともでき、何回も取り外しても固定機能が劣化し難い乗り物シート１を実現できる。この結果、シート表皮２２、２３の着せ替えを好適に行うことができる。
【００３２】
また、抜き差し部材５０が溝部３０の幅狭部４１から抜き差し自在に構成されているので、シート表皮２２、２３の着脱を簡単に行うことができる。
【００３３】
溝部３０が、シートパッド２０、２１の表面に沿って細長に形成され、大径部６０が、溝部３０の長手方向に沿った細長形状を有するので、大径部６０が溝部３０にしっかり引っ掛かり、シートパッド２０、２１に対するシート表皮２２、２３の固定を強固に行うことができる。
【００３４】
抜き差し部材５０は、大径部６０とシート表皮２２、２３の裏面とを接続する接続部６１を有しているので、大径部６０を溝部３０の幅広部４２に入れる作業を好適に行うことができる。
【００３５】
シートパッド２０、２１が柔軟性のある素材により形成され、大径部６０は、シートパッド２０、２１よりも変形しにくい材質で構成されているので、大径部６０の溝部３０への押し込みと、大径部６０の溝部３０からの引き抜きを適切に行うことができる。
【００３６】
上記実施の形態において、大径部６０の形状は円筒状であったが、他の形状であってもよい。例えば図４、図５に示すように大径部６０は、上面に平坦部６０ａを有する、断面が扁平の略球状体や、略円錐体のものであってもよい。上面に平坦部６０ａがある場合には、幅狭部４１と幅広部４２の間にできる段部に引っ掛かりやすくなり、大径部６０が意図せず溝部３０から抜けることを防止できる。
【００３７】
以上の実施の形態において、例えば溝部３０が一連の細長に形成されていたが、図６に示すようにシートパッド２０、２１の表面に沿った複数個所に並べて形成され、大径部６０は、その溝部３０に対応する位置に複数形成されていてもよい。例えば大径部６０は、図２で示した上記実施の形態の場合よりも短い円筒状に形成されている。かかる場合、シートパッド２０、２１に対するシート表皮２２、２３の固定強度を向上できる。
【００３８】
前記実施の形態において、大径部６０の形状は円筒状であったが、他の形状であってもよい。例えば図７に示すように大径部６０は、球状であってもよい。さらに大径部６０は、図８、図９に示すように上面に平坦部６０ａを有する略球状体や、略円錐体等であってもよい。上面に平坦部６０ａがある場合には、幅狭部４１と幅広部４２の間にできる段部に引っ掛かりやすくなり、大径部６０が意図せず溝部３０から抜けることを防止できる。
【００３９】
以上の実施の形態では、抜き差し部材５０が、溝部３０の幅狭部４１から抜き差し自在に構成されていたが、図１０に示すようにシート表皮２２、２３の溝部３０ａが、シートパッド２０、２１の表面に沿って細長に形成され、当該長手方向の端部が開口し、抜き差し部材５０が、溝部３０ａの開口７０から抜き差し自在に構成されていてもよい。かかる場合、シート表皮２２、２３をシートパッド２０、２１に取り付ける際には、抜き差し部材５０の大径部６０を溝部３０ａの開口７０から挿入し、抜き差し部材５０（シート表面２２、２３）をシートパッド２０、２１の表面に沿ってスライドさせる。溝部３０ｂに対しては、上記実施の形態と同様に幅狭部４１から、他の抜き差し部材としての抜き差し部材５０の大径部６０を押し込む。シート表皮２２、２３をシートパッド２０、２１から取り外す際には、抜き差し部材５０（シート表皮２２、２３）をシートパッド２０、２１の表面に沿ってスライドさせ、大径部６０を溝部３０ｂの開口７０から引き抜く。かかる例によれば、シートパッド２０、２１に対するシート表皮２２、２３の着脱をより簡単かつ迅速に行うことができる。また、溝部３０ｂでは、他の抜き差し部材５０の大径部６０を幅狭部４１から抜き差しするので、例えば使用時にシート表皮２０、２１が乗り物シート１の上下、前後にずれるのを防止できる。
【００４０】
かかる例においても、大径部６０の形状は、図４、図５で示したように他の形状を有するものであってもよい。すなわち、大径部６０は、上面に平坦部６０ａを有する、断面が扁平の略球状体や、略円錐体のものであってもよい。
【００４１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４２】
例えば以上の実施の形態で記載した溝部３０の数や位置はこれに限られない。またシート表皮２２、２３の形状、大きさ、数もこれに限られない。シートパッド２０、２１や乗り物シート１全体の構成もこれに限られない。
【産業上の利用可能性】
【００４３】
本発明は、シート表皮とシートパッドの固定を簡単かつ迅速に、簡単な機構で行い、なおかつシート表皮をシートパッドから簡単に取り外すこともでき、何回も取り外したときに固定機能が劣化するのを抑制できる乗り物シートを実現する際に有用である。
【符号の説明】
【００４４】
１  乗り物シート
２０、２１  シートパッド
２２、２３  シート表皮
３０  溝部
４１  幅狭部
４２  幅広部
５０  抜き差し部材
６０  大径部
６１  接続部
【図１】
2016141186.tif 000003
【図２】
2016141186.tif 000004
【図３】
2016141186.tif 000005
【図４】
2016141186.tif 000006
【図５】
2016141186.tif 000007
【図６】
2016141186.tif 000008
【図７】
2016141186.tif 000009
【図８】
2016141186.tif 000010
【図９】
2016141186.tif 000011
【図１０】
2016141186.tif 000012